(57)【要約】【課題】接着剤が嵌入隙間からはみ出して竪樋の表面に付着したり膨潤が生じたりするのを防止することができる竪樋継手を提供する。【解決手段】外筒部２と内筒部３と、外筒部２と内筒部３とを連結する連結部４とを備え、外筒部２と内筒部３との間に中心軸方向に開口し竪樋７の端部が嵌入される嵌入隙間５が形成され、内筒部３に接着剤８が挿通可能な挿通部６が形成される。【選択図】図１
2013068003.tif 000002
【特許請求の範囲】
【請求項１】
外筒部と内筒部と、前記外筒部と前記内筒部とを連結する連結部とを備え、前記外筒部と前記内筒部との間に中心軸方向に開口し竪樋の端部が嵌入される嵌入隙間が形成され、前記内筒部に接着剤が挿通可能な挿通部が形成されることを特徴とする竪樋継手。
【請求項２】
前記挿通部が開口であることを特徴とする請求項１記載の竪樋継手。
【請求項３】
前記挿通部が切欠であることを特徴とする請求項１記載の竪樋継手。
【発明の詳細な説明】
【技術分野】
【０００１】
本発明は、竪樋継手に関するものである。
【背景技術】
【０００２】
従来から、上下に隣接する竪樋は竪樋継手にて接続されている（例えば特許文献１参照）。竪樋継手は、外筒部と内筒部と、これらを連結する連結部とを備え、前記外筒部と前記内筒部との間に嵌入隙間が形成されるものである。
【０００３】
竪樋は、この嵌入隙間にその端部が嵌入され、接着剤により接着されて竪樋継手に固定されていた。これにあたっては、接着剤が嵌入隙間に予め挿入または塗布された状態で、竪樋の端部が嵌入隙間に嵌入されることで、竪樋と外筒部や内筒部との間に接着剤が介在し、接着剤が乾燥して竪樋と外筒部や内筒部が固定されるものであった。
【先行技術文献】
【特許文献】
【０００４】
【特許文献１】特開２００５−１３３４２７号公報
【発明の概要】
【発明が解決しようとする課題】
【０００５】
しかしながら、竪樋の端部が嵌入隙間内に嵌入されると、嵌入隙間内に納まりきれなくなった接着剤が、嵌入隙間からはみ出して竪樋の表面に付着したり、竪樋や外筒部や内筒部の間の狭いスペースで圧縮されてしまうものであった。この場合、竪樋の表面に付着した接着剤は見栄えが悪く、また、竪樋に付着した接着剤は竪樋を不必要に溶解させて変形させてしまい、竪樋の耐久性が損なわれる惧れがあるものであった。
【０００６】
本発明は上記従来の問題点に鑑みて発明したものであって、その目的とするところは、接着剤が嵌入隙間からはみ出して竪樋の表面に付着したり膨潤が生じたりするのを防止することができる竪樋継手を提供することを課題とするものである。
【課題を解決するための手段】
【０００７】
上記課題を解決するために、本発明の竪樋継手は、以下のような構成とする。
【０００８】
外筒部と内筒部と、前記外筒部と前記内筒部とを連結する連結部とを備え、前記外筒部と前記内筒部との間に中心軸方向に開口し竪樋の端部が嵌入される嵌入隙間が形成され、前記内筒部に接着剤が挿通可能な挿通部が形成されることを特徴とする。
【０００９】
また、前記挿通部が開口であることが好ましい。
【００１０】
また、前記挿通部が切欠であることが好ましい。
【発明の効果】
【００１１】
本発明の竪樋継手は、接着剤が嵌入隙間からはみ出して竪樋の表面に付着したり膨潤が生じたりするのを防止することができる。
【図面の簡単な説明】
【００１２】
【図１】本発明の一実施形態の竪樋継手の断面図である。
【図２】同上において竪樋が装着された状態を示し、（ａ）は断面図であり、（ｂ）は（ａ）のＡ部拡大図である。
【図３】他の実施形態の竪樋継手の断面図である。
【図４】更に他の実施形態の竪樋継手を示し、（ａ）は平面図であり、（ｂ）は竪樋の装着を説明する断面図である。
【図５】更に他の実施形態の竪樋継手を示し、（ａ）は平面図であり、（ｂ）は竪樋の装着を説明する断面図である。
【図６】更に他の実施形態の竪樋継手を示し、（ａ）は竪樋の装着を説明する断面図であり、（ｂ）は竪樋が装着された状態の断面図である。
【発明を実施するための形態】
【００１３】
以下、本発明の一実施形態について図１、図２に基いて説明する。
【００１４】
図１に示すように、竪樋継手１は、外筒部２と内筒部３と、これらを連結する連結部４とを備え、外筒部２と内筒部３との間に、竪樋７の端部が嵌入される嵌入隙間５が形成されるものである。本実施形態では、連結部４は、外筒部２と内筒部３とをこれらの中心軸方向（すなわち上下方向）の中間部で連結し、中心軸方向の両側にそれぞれ、中心軸方向の両側に開口する嵌入隙間５が形成されている。なお、竪樋７と竪樋継手１の断面形状は、本実施形態では略正方形状をしているが、特に限定されず、円形や他の多角形状でもよいものである。
【００１５】
そして、内筒部３に接着剤８が挿通可能な挿通部６が形成される。本実施形態では、挿通部６は内筒部３に形成される開口６１からなるものである。開口６１は、平面視正方形状をした内筒部３の各辺における水平方向の中間部であって、連結部４と連結されている部分の近傍（言い換えると、嵌入隙間５の奥）に形成されている。
【００１６】
竪樋７の接続の仕方について説明すると、図２に示すように、上記竪樋継手１の嵌入隙間５に接着剤８が挿入または塗布されて、竪樋７の端部が嵌入隙間５に嵌入される。接着剤８は、竪樋７と外筒部２との間と、竪樋７と内筒部３との間に介在し、乾燥することでこれらを固定する。そして、接着剤８の嵌入隙間５内に納まりきれなくなった余剰分は、開口６１から内筒部３の内部へと挿通され、内筒部３の内面に付着する。
【００１７】
これにより、接着剤８の余剰分が、嵌入隙間５からはみ出して竪樋７の表面に付着し、見栄えが悪くなる、といったことが防止される。また、竪樋７に付着した接着剤８が竪樋７を不必要に溶解させて変形させてしまういわゆる膨潤現象が生じるのが阻止され、竪樋７の耐久性が損なわれるのが防止されるものである。
【００１８】
次に、他の実施形態について図３に基づいて説明する。本実施形態において、図１、図２に示す実施形態と同じ構成については同符号を付して説明を省略し、異なる構成について説明する。
【００１９】
本実施形態では、挿通部６は内筒部３に形成される切欠６２からなるものである。切欠６２は、内筒部３の周方向に部分的に複数形成されるもので、図３に示すものは、内筒部３の各辺における水平方向の中間部の二箇所に、連結部４と連結されている部分の近傍（すなわち嵌入隙間５の奥）から内筒部３の先端にかけて切欠されている。
【００２０】
これにより、接着剤８が竪樋７の表面に付着して見栄えが悪くなったり、膨潤現象が生じるのが防止される。また、挿通部６が開口６１からなるものと比べて、接着剤８の余剰分が多くても切欠６２から挿通され、竪樋７に付着したりし難いものである。なお、挿通部６が開口６１からなる上記実施形態の利点としては、内筒部３の先端が周方向に環状に連続して、竪樋継手１の強度が高い点が挙げられる。
【００２１】
次に、更に他の実施形態について図４に基づいて説明する。本実施形態においても、上記実施形態と同じ構成については同符号を付して説明を省略し、異なる構成について説明する。本実施形態では、挿通部６が連結部４に形成されるとともに、内筒部３が上記実施形態と異なる。
【００２２】
内筒部３は、連結部４から、中心軸方向のいずれか一方にのみ突出し、嵌入隙間５が一方にのみ形成されるもので、図４に示すものは、内筒部３は下方にのみ突出し嵌入隙間５は下方にのみ形成されている。
【００２３】
そして、挿通部６としての開口６１が、連結部４の周方向に部分的に複数形成されるものである。
【００２４】
これにより、接着剤８が竪樋７の表面に付着して見栄えが悪くなったり、膨潤現象が生じるのが防止される。
【００２５】
次に、更に他の実施形態について図５に基づいて説明する。本実施形態においても、図４に示す実施形態と同じ構成については同符号を付して説明を省略し、異なる構成について説明する。本実施形態では、挿通部６が内筒部３と連結部４とに跨って形成される。
【００２６】
内筒部３は、図４に示す実施形態と同様に、連結部４から一方にのみ突出し、嵌入隙間５も一方にのみ形成されており、上側の竪樋７は内筒部３に被嵌されることで取り付けられる。
【００２７】
そして、挿通部６としての開口６１が、内筒部３と連結部４の周方向に部分的に複数形成されるものである。
【００２８】
これにより、接着剤８が竪樋７の表面に付着して見栄えが悪くなったり、膨潤現象が生じるのが防止される。
【００２９】
また本実施形態では、上側の竪樋７の端部が連結部４に到るまで被嵌されても、挿通部６は内筒部３にも形成されているため、挿通部６が閉塞されることがない。
【００３０】
次に、更に他の実施形態について図６に基づいて説明する。本実施形態においても、上記実施形態と同じ構成については同符号を付して説明を省略し、異なる構成について説明する。本実施形態では、挿通部６は、連結部４の奥に形成される凹部６３からなるものである。
【００３１】
内筒部３は、図４、図５に示す実施形態と同様に、連結部４から一方にのみ突出し、嵌入隙間５も一方にのみ形成されており、上側の竪樋７は内筒部３に被嵌されることで取り付けられる。
【００３２】
そして、挿通部６としての凹部６３が、連結部４の奥に凹設され、接着剤８の溜り部となるものである。凹部６３の幅は竪樋７の幅よりも短く形成され、竪樋７の端部は、凹部６３には挿入されない。
【００３３】
これにより、接着剤８が竪樋７の表面に付着して見栄えが悪くなったり、膨潤現象が生じるのが防止される。
【符号の説明】
【００３４】
１    竪樋継手
２    外筒部
３    内筒部
４    連結部
５    嵌入隙間
６    挿通部
６１  開口
６２  切欠
７    竪樋
８    接着剤
【図１】
2013068003.tif 000003
【図２】
2013068003.tif 000004
【図３】
2013068003.tif 000005
【図４】
2013068003.tif 000006
【図５】
2013068003.tif 000007
【図６】
2013068003.tif 000008